(57)【要約】【課題】本発明は、調製器本体および載置体の係合状態と係合解除状態との間における状態変更を行うことにより、調製器本体に対する載置体の着脱を容易に行なうことができ、さらに、製造に際して部品点数および組立工程を増加させることなく、効率よく製造することができる食材調製器を提供する。【解決手段】調製器本体１０と載置体７０との間に固定具１４を備え、固定具１４が、第一姿勢を採る係合状態で載置体７０が調製器本体１０に係合固定され、押込み操作により第二姿勢を採る係合解除状態で離脱可能とされ、固定具１４に、係合状態から係合解除状態への状態変更に伴い、載置体７０を調製器本体１０から持ち上げる持ち上げ操作部３を設け、押込み操作により載置体７０が調製器本体１０から持ち上げ操作される。【選択図】図１
2008029698.tif 000002
【特許請求の範囲】
【請求項１】
駆動手段を備えた調製器本体と、当該調製器本体上に載置されて使用される載置体とを備え、
前記載置体が食材調製手段の少なくとも一部を成す構成で、
前記調製器本体と前記載置体との間に、第一姿勢と第二姿勢との間で姿勢変更自在、且つ前記第一姿勢に付勢される固定具を備え、
前記固定具が前記第一姿勢を採る係合状態で前記載置体が前記調製器本体に係合固定され、前記固定具が押込み操作により前記第二姿勢を採る係合解除状態で前記載置体が前記調製器本体から離脱可能とされる食材調製器であって、
前記固定具に、前記係合状態から前記係合解除状態への状態変更に伴って、前記載置体を前記調製器本体から持ち上げる持ち上げ操作部を設け、
前記押込み操作により前記載置体が前記調製器本体から持ち上げ操作される食材調製器。
【請求項２】
前記持ち上げ操作部の働きにより、前記載置体が前記調製器本体から持ち上げられた持ち上げ位置で、前記載置体を位置保持する保持部を、前記固定具に備えた請求項１に記載の食材調製器。
【請求項３】
駆動手段を備えた調製器本体と、当該調製器本体上に載置されて使用される載置体とを備え、
前記載置体が食材調製手段の少なくとも一部を成す構成で、
前記調製器本体と前記載置体との間に、第一姿勢と第二姿勢との間で姿勢変更自在、且つ前記第一姿勢に付勢される固定具を備え、
前記固定具が前記第一姿勢を採る係合状態で前記載置体が前記調製器本体に係合固定され、前記固定具が押込み操作により前記第二姿勢を採る係合解除状態で前記載置体が前記調製器本体から離脱可能とされる食材調製器であって、
前記載置体が前記調製器本体から持ち上げられた持ち上げ位置で、前記載置体を位置保持する保持部を、前記固定具に備えた食材調製器。
【請求項４】
前記固定具が、前記調製器本体の周部の少なくとも２箇所に設けられている請求項１〜３の何れか一項に記載の食材調製器。
【発明の詳細な説明】
【技術分野】
【０００１】
本発明は、果物や野菜などの食材を調製する食材調製器に関するものである。
【背景技術】
【０００２】
従来、果物や野菜などの食材を調製する食材調製器（例えば、ジューサーなど）においては、駆動手段などを備えた調製器本体（例えばジューサー本体など）と、当該調製器本体に着脱可能に係合する載置体（例えば本体カバーなど）と、調製器本体と載置体との間に設けられる固定具とを有し、当該固定具を押込み操作することで調製器本体と載置体との係合を解除して、載置体を取り外すことができる構成とされていた。当該固定具は、第一姿勢と第二姿勢との間で姿勢変更自在とされるとともに、第一姿勢に付勢されて構成されており、当該第一姿勢をとる係合状態で載置体が調製器本体に係合固定され、押込み操作により当該第二姿勢をとる係合解除状態で係合固定が解除され、載置体を調製器本体から取り外し可能とされていた。
【０００３】
以下の説明においては、理解を容易とするために、本体カバーが本願における載置体となるジューサーの例で説明する。
【０００４】
上記の構造において、単に、固定具を押込み操作により第一姿勢から第二姿勢に姿勢変更させ、調製器本体と本体カバーとの係合を解除するだけでは、固定具に対する押込み操作を終了してしまうと、固定具が第一姿勢に付勢されているため再び第一姿勢における係合状態に戻ってしまい、常に固定具を押しつづけなければ係合が解除された状態を維持できないこととなり、例えば、一方の手で固定具を押しつつ他方の手で本体カバーを取り外す動作を行う必要が生じるなど、使い勝手が良くない。特に、固定具が一対設けられている場合には、両手で固定具を押しつつ即座に両手で本体カバーを取り外す動作を行う必要があり、さらに使い勝手が良くないものとなる。
【０００５】
そこで、上記問題を解決すべく、例えば、ジューサー本体と、本体カバーと、ジューサー本体と本体カバーとの間に設けられる固定具とを有するジューサーにおいて、当該固定具が第一姿勢から第二姿勢に姿勢変更するに伴って、ジューサー本体に別途設けられたスライダの傾斜部により、本体カバーを持ち上げる構成とする発明が提案されている（特許文献１参照）。
当該発明によれば、固定具を押込み操作し固定具が第一姿勢から第二姿勢に姿勢変更した後に、固定具の押込み操作を終了した場合でも、本体カバーがスライダの傾斜部により持ち上げられて、第一姿勢に復帰してもジューサー本体と本体カバーとが再び係合状態となることを防止することができる。これにより、ユーザは、係合解除のため固定具の押込み操作を行った後であっても、ジューサー本体と本体カバーとが再係合する不都合を気にすることなく、時間的に余裕をもって持ち上げられた本体カバーを取り外す動作を行うことができる、例えば、両手で、一対設けられた固定具の押込み操作をした後に、片手でゆっくりと本体カバーを取り外すことが可能となり、非常に使い勝手が良いものとなっている。
【０００６】
【特許文献１】特開２００４−３３７５１４号公報
【発明の開示】
【発明が解決しようとする課題】
【０００７】
上述の特許文献１に記載のジューサーでは、固定具として、ジューサー本体に設けられた係止部と、ジューサー本体に設けられて本体カバーを持ち上げるスライダとを有することとされている。ここで、当該ジューサーでは、上記係止部および上記スライダは、共に本体側に備えられるが、それぞれ別個の部材により構成されている。特に、上記スライダは、スプリングとスライダ傾斜部とを有し、上記係止部の三方を囲繞する略コ字形状に形成される複雑な構成をしている。したがって、製造に際して部品点数が増加するとともに、複雑な略コ字形状を形成したうえで、スプリングとスライダ傾斜部とを取り付ける必要があるなど組立工程も増加して、製造コストおよび製造労力がかかり、効率よく製造することが困難である。
【０００８】
本発明は、上記の課題に鑑みてなされたものであり、その目的は、調製器本体および載置体の係合状態と係合解除状態との間における状態変更を行うことにより、調製器本体に対する載置体の着脱を容易に行なうことができ、さらに、製造に際して部品点数および組立工程を増加させることなく、効率よく製造することができる食材調製器を提供する点にある。
【課題を解決するための手段】
【０００９】
上記目的を達成するための本発明に係る食材調製器は、駆動手段を備えた調製器本体と、当該調製器本体上に載置されて使用される載置体とを備え、前記載置体が食材調製手段の少なくとも一部を成す構成で、前記調製器本体と前記載置体との間に、第一姿勢と第二姿勢との間で姿勢変更自在、且つ前記第一姿勢に付勢される固定具を備え、前記固定具が前記第一姿勢を採る係合状態で前記載置体が前記調製器本体に係合固定され、前記固定具が押込み操作により前記第二姿勢を採る係合解除状態で前記載置体が前記調製器本体から離脱可能とされる食材調製器であって、その第１特徴構成は、前記固定具に、前記係合状態から前記係合解除状態への状態変更に伴って、前記載置体を前記調製器本体から持ち上げる持ち上げ操作部を設け、前記押込み操作により前記載置体が前記調製器本体から持ち上げ操作される点にある。
【００１０】
上記第１特徴構成によれば、食材調製器において、固定具が内側（食材調製器の内側、以下において同様）へ押込み操作されて姿勢変更することで、調製器本体および載置体の係合状態と係合解除状態との間での状態変更を行なうことができる。そして、係合解除状態への状態変更に伴って、載置体が固定具に設けられた持ち上げ操作部によって調製器本体から持ち上げられ、容易に載置体を取り外すことができる。すなわち、固定具を内側へ押込み操作し、固定具が第一姿勢から第二姿勢へ向けて姿勢変更することで、調製器本体と載置体とが係合状態から係合解除状態へ状態変更して係合が解除される。当該係合解除状態への状態変更に伴って、固定具に設けられた持ち上げ操作部に載置体が当接して、当該持ち上げ操作部に沿って持ち上げられ、持ち上げ位置にくる。これにより、ユーザは、係合状態の解除のため固定具に内側への押込み操作を行った際には、持ち上げられた状態の載置体を取り外す動作を容易に行うことができる。さらに、上記持ち上げ操作部が、上記固定具に一体として設けられていることで、調製器本体に別の部材とする構成で持ち上げ操作部を設ける必要がなくなり、製造に際して部品点数および組立工程を増加させることなく、効率よく製造することができることとなる。
【００１１】
本発明に係る食材調製器の第２特徴構成は、第１特徴構成に加えて、前記持ち上げ操作部の働きにより、前記載置体が前記調製器本体から持ち上げられた持ち上げ位置で、前記載置体を位置保持する保持部を、前記固定具に備えた点にある。
【００１２】
上記第２特徴構成によれば、載置体が調製器本体から持ち上げ操作部の働きにより持ち上げられた持ち上げ位置で、固定具に設けられた保持部により載置体を位置保持することができる。すなわち、固定具に内側への押込み操作を終了して、第一姿勢への付勢により固定具が第一姿勢に復帰もしくは復帰しようとしても、載置体が持ち上げ位置で固定具に設けられた保持部に係止して位置保持されており係合状態となる位置からずれてしまっているので、載置体と調製器本体とが再び係合状態になることを防止できるとともに、係合解除状態において持ち上げられた状態を安定的に維持することができ、容易に載置体を取り外すことができる。これにより、ユーザは、載置体を取り外す動作を時間的に余裕を持って行なうことができるとともに、載置体の固定が不安定となり載置体がずれて、外れてしまうような心配をする必要がなくなる。さらに、上記保持部が、上記固定具に一体として設けられていることから、調製器本体に別の部材とする構成で保持部を設ける必要がなくなり、製造に際して部品点数および組立工程を増加させることなく、効率よく製造することができることとなる。
【００１３】
上記目的を達成するための本発明に係る食材調製器は、駆動手段を備えた調製器本体と、当該調製器本体上に載置されて使用される載置体とを備え、前記載置体が食材調製手段の少なくとも一部を成す構成で、前記調製器本体と前記載置体との間に、第一姿勢と第二姿勢との間で姿勢変更自在、且つ前記第一姿勢に付勢される固定具を備え、前記固定具が前記第一姿勢を採る係合状態で前記載置体が前記調製器本体に係合固定され、前記固定具が押込み操作により前記第二姿勢を採る係合解除状態で前記載置体が前記調製器本体から離脱可能とされる食材調製器であって、その第３特徴構成は、前記載置体が前記調製器本体から持ち上げられた持ち上げ位置で、前記載置体を位置保持する保持部を、前記固定具に備えた点にある。
【００１４】
上記第３特徴構成によれば、食材調製器において、固定具が内側へ押込み操作されて姿勢変更することで、調製器本体および載置体の係合状態と係合解除状態との間での状態変更を行なうことができる。そして、係合解除状態への状態変更に伴って、載置体が調製器本体から持ち上げられた持ち上げ位置で、載置体を位置保持して、調製器本体と載置体とが係合解除状態において持ち上げられた状態を安定的に維持することができ、容易に載置体を取り外すことができる。すなわち、固定具に内側へ押込み操作し、固定具が第一姿勢から第二姿勢へ向けて姿勢変更することで、調製器本体と載置体とが係合状態から係合解除状態へ状態変更して係合が解除される。当該係合解除状態において、載置体が持ち上げられた持ち上げ位置で、固定具に設けられた保持部に係止して位置保持されることとなる。そして、固定具が第一姿勢への付勢により第一姿勢に復帰もしくは復帰しようとしても、載置体が固定具の保持部に係止して位置保持されているので、調製器本体と載置体とが係合解除状態において持ち上げられた状態を安定的に維持することができ、容易に載置体を取り外すことができる。これにより、ユーザは、係合状態の解除のため固定具に内側への押込み操作を行った後であっても、調製器本体と載置体とが再び係合状態となる不都合を気にすることなく、持ち上げられて安定した状態に位置保持された載置体を、時間的に余裕をもって取り外す動作を行うことができる。さらに、上記保持部が、上記固定具に一体として設けられていることで、調製器本体に別の部材とする構成で保持部を設ける必要がなくなり、製造に際して部品点数および組立工程を増加させることなく、効率よく製造することができることとなる。
【００１５】
本発明に係る食材調製器の第４特徴構成は、第１〜第３特徴構成に加えて、前記固定具が、前記調製器本体の周部の少なくとも２箇所に設けられている点にある。
【００１６】
上記第４特徴構成によれば、固定具が調製器本体の周部の少なくとも２箇所に設けられていることで、載置体が傾斜した格好で調製器本体と載置体とが係合解除状態となるおそれを回避できることから外観を損なうことがなく、また、載置体を調製器本体から簡単に取り外すことが可能となり、さらに、調製器本体と載置体との係合状態を充分に強固なものとすることができる。
【発明を実施するための最良の形態】
【００１７】
以下、本発明に係る食材調製器としてのジューサー１の実施形態を図面に基づいて説明する。図１は、本実施形態に係るジューサー１の斜視図である。
【００１８】
先ず、本実施形態に係るジューサー１の基本構成について説明する。
図１に示すように、ジューサー１は、駆動手段を備えた調製器本体としてのジューサー本体（以下、本体と略称する）１０と、載置体としての本体カバー（以下、本体カバーと略称する）７０と、固定具１４とを有して構成され、本体１０の周部上端で、径方向の相対する位置に一対設けられた固定具１４により本体１０と本体カバー７０とが係合状態もしくは係合解除状態の間で状態変更できるように構成されている。本体１０と本体カバー７０との間には、ファイバーケース４０などの部材が順次重なり合うように配置されて使用される。具体的には、図２に示すように、本体１０側（図面下側）から、ファイバーケース４０、仕切り板４３、調製部材５０、ファイバーケースカバー６０、本体カバー７０の順に重ねて装着する。ここで、ファイバーケース４０、仕切り板４３、調製部材５０、ファイバーケースカバー６０、本体カバー７０は、食材調製手段８０を構成し、当該本体カバー７０は、食材調製手段８０の一部を成す。
【００１９】
［本体１０］
図３、図４に示すように、本体１０は、上記各部材を装着するにあたって土台となる部分であり、内部に駆動手段としてモータ１１が配設されるとともに上面にはモータ１１の出力軸１１ａが突出形成されて、その突出形成部に調製部材５０を着脱可能に装着するための装着部材１２が配設されている。また、本体１０の下部には、ジュース容器１８の受台部１３が設けられている。本体１０の側面には、本体１０と本体カバー７０との間に配設された部材を洗浄するためのクリーニングスイッチ１７Ａ、食材の調製動作を実行する「入」スイッチ１７Ｂ、食材の調製動作を停止する「切」スイッチ１７Ｃ（以下各操作スイッチ１７と略称する）が連設されている。本体１０の周部上端には、後述する固定具１４が径方向の相対する位置に一対設けられる。
【００２０】
本体１０には、検出手段を介してファイバーケース４０（ひいては本体カバー７０）の装着状態が検出されないと、各操作スイッチ１７を操作できないようにする機械式の安全スイッチ機構が設けられる。ファイバーケース４０（ひいては本体カバー７０）が完全に装着状態にない場合に、ジューサー１が調製動作を実行すると非常に危険であるため、安全スイッチ機構は必要となる。具体的には、図４および図５に示すように、検出手段として、本体１０の上面に略円筒状をなしファイバーケース４０の下縁端と対応する溝を備えたガイド凸部が設けられ、このガイド凸部内に突出するように、ファイバーケース４０の装着状態を検出するための動作部１６が設けられている。この動作部１６の下端には、回動可能に軸着したレバー１９が接続され、このレバー１９を介して動作部１６がスプリング２０によって上昇位置を維持するように付勢されている。また、図６に示すように、安全スイッチ機構は、矩形状の基枠２１に対して、長手方向に所定間隔をもって各操作スイッチ１７に対応するアーム２２を移動可能（図６（ｂ）（ｃ）における左右方向に移動可能）に配設するとともに、規制板２３を基枠２１の長手方向であって上下方向に移動可能に配設するものである。図６（ａ）（ｂ）に示すように、アーム２２は、各操作スイッチ１７に対応する箇所で断面略十字形状であり、当該断面十字形状においてアーム２２の幅方向に延びる干渉部２２ａが突設されている。規制板２３は、スプリング２５によって上向きに付勢され、規制板２３の上端部２３ａが、基枠２１を貫通してレバー１９の先端下部に接続される。規制板２３には、アーム２２の干渉部２２ａと対応する位置に２つの段部からなる規制溝２４ａ，２４ｂが設けられ、この規制溝の２つの段部は、深さの浅い段部が上側（規制溝上段部２４ａ）に、深さが深い段部が下側（規制溝下段部２４ｂ）に設けられている。
【００２１】
この様に構成した機械式の検出手段および安全スイッチ機構は、図５中、一点鎖線で示すように、本体カバー７０が装着固定されずに、検出手段の動作部１６がスプリング２０によって付勢されて上昇位置に位置する場合には、レバー１９の先端は下降した状態となる。これにより、安全スイッチ機構における規制板２３の上端部２３ａは下向きに押圧され、規制板２３を下向きに移動させる。その結果、図６（ｃ）に示すように、規制溝の深さが浅い規制溝上段部２４ａが、アーム２２の干渉部２２ａが移動可能な左右方向（図６（ｃ）における左右方向）の移動方向先端に位置する。そのため、図６（ｃ）の右方向に各操作スイッチ１７を押圧操作しても、アーム２２の干渉部２２ａが、規制溝上段部２４ａと干渉して移動することができず、ジューサー１が調製動作を実行できない状態に維持することができる。
【００２２】
一方、図５中実線で示すように、本体カバー７０が装着固定されて、検出手段の動作部１６がスプリング２０の付勢力に抗して下降位置に位置する場合には、レバー１９の先端は上昇した状態となる。これにより、安全スイッチ機構における規制板２３は、後述するファイバーケース４０（ひいては本体カバー７０）の押圧力とスプリング２５の付勢力とによって上向きに移動する。その結果、図６（ｂ）に示すように、規制溝の深さが深い規制溝下段部２４ｂが、アーム２２の干渉部２２ａが移動可能な左右方向（図６（ｂ）における左右方向）の移動方向先端に位置することとなるが、図６（ｂ）の右方向に各操作スイッチ１７を操作しても、アーム２２が移動することができる間隙（各操作スイッチ１７を操作するために必要な移動距離）が存在し、アーム２２の干渉部２２ａが、規制溝下段部２４ｂに干渉することなく移動が許容され、ジューサー１が調製動作を実行可能な状態に維持することができる。
【００２３】
［ファイバーケース４０］
図２、図３に示すように、ファイバーケース４０は、ジュースをジュース容器１８に案内し、ファイバーをファイバー受部４４に蓄積させる部材であり、円筒形状の側面を有して、当該円筒形状の内側底面と側面とが一体として概略断面Ｊ字形状を構成し、当該底面の中央部には、上記本体１０の装着部材１２を挿通できる断面凸形状の筒部が設けられている。この筒部の下端縁は、上述の動作部１６を押圧する押圧部を構成する。そして、当該内側底面において筒部以外の部分は、当該内側底面に設けられた抽出口４１が最下端となるように傾斜が付けられており、抽出口４１の周囲から下向きに突出する抽出ノズル部４２が設けられる。なお、ファイバーケース４０は、本体１０の上に装着される。
【００２４】
［仕切り板４３］
図２、図３に示すように、仕切り板４３は、円筒形状の側面を有して、当該円筒形状の外側底面と側面とが一体として概略断面Ｌ字形状を構成し、当該円筒形状の内側には、上記調製部材５０を挿通できるような空間が設けられている。なお、仕切り板４３は、ファイバーケース４０内に重ねて装着されて、分離されたジュースとファイバーとを区画する部材であり、仕切り板４３の外側底面上にファイバー受部４４と、ファイバーケース４０の内側底面にジュース案内部４５とを区画して形成する。
【００２５】
［調製部材５０］
図２、図３に示すように、調製部材５０は、下部に上記本体１０の装着部材１２を介してモータ１１に装着可能な台座５１と、当該台座５１の上側に配置されて、刃部５２ａを有する平面状のカッター５２と、当該平面状のカッター５２から上部へ行くにつれて広がるすり鉢形状の金属製のフィルター５３とを備えて、当該フィルター５３には、ジュースを通過させることが可能な通孔５３ａが所定間隔に配置されている。なお、当該調製部材５０は、ファイバーケース４０および仕切り板４３の内側に配置されて、モータ１１により回転自在に構成され、食材投入通路６１から投入された食材をカッター５２によりジュースとファイバーとに分離する部材である。
【００２６】
［ファイバーケースカバー６０］
図２に示すように、ファイバーケースカバー６０は、やや上方に膨らんだ概略皿形状で、この皿形状の中央部分の上下方向に筒状の突出部分が設けられ、当該突出部分は、当該突出部分の内側を通過して調製部材５０へ食材を投入することができる食材投入通路６１とされている。上方向側の筒状の突出部６１ａには、後述する本体カバー７０の凹部７２と嵌合するよう位置決めする、内向きに窪む凹部６２が設けられている。また、ファイバーケースカバー６０の上面には、後述する本体カバー７０の開口部７４と嵌合する平面視略円弧状の窓部６３が突出形成されている。なお、ファイバーケースカバー６０は、ファイバーケース４０の上面を閉覆する部材であり、ファイバーケース４０の上面を覆うように装着される。
【００２７】
［本体カバー７０］
図１、図２に示すように、本体カバー７０は、本体１０の上部を覆う部材であり、本体１０に固定具１４を介して装着され、ファイバーケースカバー６０、ファイバーケース４０を覆うように装着される。本体カバー７０は、円筒形状の側面を有して概略逆Ｕ字形状の断面を構成し、上面の中央部分には、ファイバーケースカバー６０の有する上方向側の筒状の突出部６１ａに嵌合する筒状の突出部７１が設けられ、この突出部７１には、上記ファイバーケースカバー６０の凹部６２と嵌合する位置決め凹部７２が設けられる。突出部７１の上側には、突出部７１を覆うように被覆部７３が設けられる。また、本体カバー７０の上面には、ファイバーケースカバー６０の上面に突出形成された窓部６３と嵌合する開口部７４が形成され、この窓部６３と開口部７４との嵌合および上記凹部６２と凹部７２との嵌合により、本体カバー７０とファイバーケースカバー６０とが固定される。さらに、本体カバー７０には、後述するように、固定具１４と係合する受部７５が円筒形状の側面下部に突出して形成され、この受部７５には、外側に膨出させた内部に係合用の平面部７６ａが設けられている（図７参照）。なお、図３に示すように、本体カバー７０とファイバーケースカバー６０との間には、ゴム製の緩衝部材７９を配設し、調製動作の実行中の振動により本体カバー７０とファイバーケースカバー６０とが干渉して、異音が発生することを防止している。本体カバー７０は、本体１０への装着状態で、緩衝部材７９を介してファイバーケースカバー６０をファイバーケース４０へ押圧する寸法に設定されており、上述の動作部１６を下降位置にして、各操作スイッチ１７を操作可能な状態にすることができる。
【００２８】
図３に示すように、ジュース容器１８は、分離されたジュースを蓄積する部材であり、概略円筒形状で、上面を覆う蓋２６を有し、本体１０に着脱可能に構成されている。蓋２６には、ファイバーケース４０の抽出ノズル部４２に対応する流入口２７が設けられている。
【００２９】
次に本実施形態に係るジューサー１の特徴構成について説明する。
図４、図７に示すように、固定具１４は、本体１０の周部上端で、径方向の相対する位置に一対設けられ、それぞれ外側もしくは内側（本体１０の上下方向とは直交する横方向）に移動して、第一姿勢（例えば、図７（ａ）の姿勢）と第二姿勢（例えば、図７（ａ）から（ｂ）若しくは（ｃ）へ押し込められた姿勢）との間で姿勢変更自在で、かつスプリング１５により第一姿勢に付勢されている。ここで、第一姿勢は、固定具１４が外側にスプリング１５の付勢力により押し出された姿勢であり、第二姿勢は、固定具１４が内側にスプリング１５の付勢力に抗して押し込まれた姿勢である。固定具１４が第一姿勢にある場合には、本体カバー７０と本体１０とが係合する係合状態となるが、第一姿勢にある場合であっても、本体カバー７０が、持ち上げ位置とされるときは、本体カバー７０と本体１０とは上下方向に位置がずれてしまっているため係合せず係合解除状態が維持されることとなる。固定具１４が第二姿勢にある場合には、本体カバー７０と本体とは係合が解除された係合解除状態となる。
【００３０】
固定具１４は、係合部２と、持ち上げ操作部３と、保持部４と、押圧部１４ａとを一体として備える。図７に示すように、固定具１４は、断面で見た状態で上部が内側と外側とに二股に分かれた部材を備えて構成されている。係合部２として、本体カバー７０における受部７５の平面部７６ａと係合するよう平面部２ａが、固定具１４において内側部材の上端外側下面に設けられる。持ち上げ操作部３として、固定具１４が第一姿勢から第二姿勢へと姿勢変更するに伴って本体カバー７０における受部７５の当接部７８ａと当接し本体カバー７０を持ち上げることができるよう傾斜部３ａが、固定具１４における外側部材の内側に設けられる。保持部４として、本体カバー７０を持ち上げた位置で位置保持できるよう、本体カバー７０の切り欠き部７７ａの形状に対応する凸部４ａが、固定具１４における外側部材の上部先端に設けられる。固定具１４は、本体１０から外側に突出して形成され、この固定具１４の中間もしくは下部に設けられた押圧部１４ａを内側に押込み操作することで、第一姿勢から第二姿勢へと姿勢変更することができる。なお、固定具１４の第二姿勢から第一姿勢への姿勢変更は、本体１０と固定具１４の間に設けられたスプリング１５の付勢力により行われる。スプリング１５のバネ定数は、本体１０と本体カバー７０との係合状態および係合解除状態を容易に行うことができ、さらに本体カバー７０が保持部４の凸部４ａに位置保持できるよう適宜設定される。
一方、図７に示すように、本体カバー７０は、断面視で上記固定具１４の外側部材と内側部材との間に配置される。本体カバー７０には、固定具１４の凸部４ａに対応する形状の切り欠き部７７ａが、本体カバー７０における受部７５の下部に設けられ、また、固定具１４の第一姿勢から第二姿勢への変更に伴って、固定具１４の傾斜部３ａと当接する当接部７８ａが、本体カバー７０における受部７５の下部であって傾斜部３ａと当接する位置に設けられる。本体カバー７０には、固定具１４の平面部２ａと係合する平面部７６ａが、本体カバー７０における受部７５の内側上面に設けられる。
【００３１】
したがって、本体１０と本体カバー７０とを、係合が解除された係合解除状態にする際には、図７（ａ）の状態から、固定具１４の押圧部１４ａを内側に押込み操作して固定具１４を第一姿勢から第二姿勢へ向けて姿勢変更させ、本体カバー７０の平面部７６ａと固定具１４の平面部２ａとを係合解除状態にすることができる。これに伴い、第一姿勢から第二姿勢へ向けての姿勢変更により、固定具１４に設けられた傾斜部３ａに本体カバー７０の当接部７８ａが当接し、本体カバー７０が、傾斜部３ａに沿って持ち上げられ（図７（ｂ）参照）、本体カバー７０は持ち上げ位置まで持ち上げられる。そして、固定具１４の内側方向への押込み操作を終了すると、固定具１４がスプリング１５の付勢力により第一姿勢と第二姿勢との間での姿勢変更において、係合解除状態のまま本体カバー７０が持ち上げられた位置で、本体カバー７０の受部７５に設けられた切り欠き部７７ａが固定具１４の凸部４ａに保持され、固定される（図７（ｃ）参照）。なお、この際、本体カバー７０が持ち上げられたまま係合が解除された係合解除状態となるので、本体カバー７０は、本体１０から容易に離脱可能である。
【００３２】
一方、本体１０と本体カバー７０とを、係合状態にする際には、本体カバー７０を、固定具１４の内側部材の上端外側上面に設けられた再係合時の斜面５ａ上に載せた状態で（図７（ａ）一点鎖線参照）、本体カバー７０全体を下側に押し込むことで、本体カバー７０の下部内側先端に設けられた接触部８１ａが上記斜面５ａに沿って降下するとともに、固定具１４を内側に押し、本体カバー７０の平面部７６ａと固定具１４の平面部２ａとが係合される（図７（ａ）実線参照）。なお、本体カバー７０が凸部４ａに保持されている場合には、保持されている本体カバー７０を一旦持ち上げて、改めて上記斜面５ａに載せたうえで、上記と同様に、本体カバー７０全体を下側に押し込むことにより、本体カバー７０の平面部７６ａと固定具１４の平面部２ａとを係合状態とすることができる。
【００３３】
これら構成により、ユーザは、係合状態の解除のため固定具１４の押込み操作を行った後であっても、本体１０と本体カバー７０とが再び係合状態となる不都合を気にすることなく、時間的に余裕をもって持ち上げられて位置保持された状態の本体カバー７０を取り外す動作を行うことができる。さらに、持ち上げ操作部３および保持部４が、上記固定具１４に一体として設けられていることで、本体１０に別の部材とする構成で持ち上げ操作部および保持部を設ける必要がなくなり、製造に際して部品点数および組立工程を増加させることなく、効率よく製造することができることとなる。また、本体１０に本体カバー７０を装着する際には、固定具１４の上に載せられた状態にある本体カバー７０を押し込むことで、本体１０と係合状態とすることができる。
【００３４】
次に、本実施形態に係るジューサー１の使用状態について説明する。
本実施形態のジューサー１を使用する際には、本体１０の上に順次、ファイバーケース４０、仕切り板４３、調製部材５０、ファイバーケースカバー６０を重ねて装着する。この際、ファイバーケース４０の下縁端が、ファイバーケース４０の装着状態を検出するための動作部１６に載った状態となるが、図５に示すスプリング２０の上側への付勢力が働いているため自重の押圧のみでは下降位置とはならない。そのため、安全スイッチ機構により各操作スイッチ１７は操作できず、モータ１１を動作できない状態を維持している。
【００３５】
そして、本体カバー７０の凹部７２とファイバーケースカバー６０の凹部６２との位置を合わせて嵌合させ、本体カバー７０によりファイバーケースカバー６０を押圧しつつ、上記固定具１４を用いて本体カバー７０を本体１０に装着する。この際、固定具１４により本体カバー７０が本体１０に押圧固定されるため、未だ下降位置とはされていなかった動作部１６が下降位置となり、上記各操作スイッチ１７は操作可能な状態となる。したがって、ファイバーケース４０やファイバーケースカバー６０のみならず、本体カバー７０も固定具１４により、完全に本体１０に装着固定されていなければならないこととなり、安全な調製動作を確保することができる。
【００３６】
ジューサー１の動作は、図３からも判明するように、上記部材が完全に装着固定された状態で、上記本体カバー７０の突出部７１を介してファイバーケースカバー６０に設けられた食材投入通路６１から、食材押込部材２８により食材を押し込むことで、本体１０に設けられたモータ１１の駆動力を受けて回転する調製部材５０のカッター５２に食材が接触して、調製部材５０の遠心分離作用により、食材がジュースとファイバーとに分離される。分離されたジュースは、フィルター５３に設けられた通孔５３ａを通り、さらにジュース案内部４５を経由してジュース容器１８内に蓄積され、分離されたファイバーは、調製部材５０の回転による遠心力でフィルター５３を乗り越えて、ファイバーケース４０内のファイバー受部４４に蓄積される。
【００３７】
〔別実施形態１〕
この別実施形態１は、係合部２を外側に、持ち上げ操作部３を内側に位置させたものであり、本体カバー７０は、内側に下垂壁を備え、その下端が持ち上げ操作部３に当接する当接部７８ｂとされている。即ち、図８に示すように、固定具１４において、係合部２として平面部２ｂ、持ち上げ操作部３として傾斜部３ｂ、保持部４として凹部４ｂ、再係合時の斜面５ｂを用い、本体カバー７０において、係合部２の平面部２ｂと係合する平面部７６ｂ、傾斜部３ｂに当接する当接部７８ｂ、凹部４ｂに保持固定される凸部７７ｂ、再係合時の接触部８１ｂを用いる。
【００３８】
具体的には、図８に示すように、固定具１４は、断面視で固定具１４の上部が、本体カバー７０の外側部材と内側部材との間に配置される。係合部２として、本体カバー７０の受部７５における平面部７６ｂと係合するよう平面部２ｂが、固定具１４における上部の外側下面に設けられる。持ち上げ操作部３として、固定具１４が第一姿勢から第二姿勢となるに伴って本体カバー７０の当接部７８ｂと当接し本体カバー７０を持ち上げることができるよう傾斜部３ｂが、固定具１４における上部の内側斜面に設けられる。保持部４として、本体カバー７０を持ち上げた位置で位置保持できるよう、本体カバー７０の凸部７７ｂの形状に対応する凹部４ｂが、固定具１４における上部先端であって、傾斜部３ｂと斜面５ｂとの間に設けられる。
【００３９】
これにより、図８（ａ）の状態から、本体１０と本体カバー７０とを、係合が解除された係合解除状態にする際には、固定具１４の押圧部１４ａを内側に押込み操作して固定具１４を第一姿勢から第二姿勢へ向けて姿勢変更させ、本体カバー７０の平面部７６ｂと固定具１４の平面部２ｂとを係合解除状態にすることができる。第一姿勢から第二姿勢への変更により、固定具１４に設けられた傾斜部３ｂに本体カバー７０の当接部７８ｂが当接し、本体カバー７０が、傾斜部３ｂに沿って持ち上げられ（図８（ｂ）参照）、本体カバー７０は持ち上げ位置まで持ち上げられる。この持ち上げ位置において、固定具１４に設けられた凹部４ｂに本体カバー７０に設けられた凸部７７ｂが保持され、固定される（図８（ｃ）参照）。
【００４０】
一方、本体１０と本体カバー７０とを、係合状態にする際には、本体カバー７０を、固定具１４における上部の外側に設けられる再係合時の斜面５ｂ上に載せた状態で（図８（ａ）一点鎖線参照）、本体カバー７０全体を下側に押し込むことで、本体カバー７０の外側部材の下部内側先端に設けられた接触部８１ｂが、上記斜面５ｂに沿って降下するとともに、固定具１４を内側に押し、固定具１４の平面部２ｂと本体カバー７０の平面部７６ｂとが係合される（図８（ａ）実線参照）。なお、本体カバー７０が凹部４ｂに保持されている場合には、保持されている本体カバー７０を一旦持ち上げて、改めて本体カバー７０を上記斜面５ｂに載せたうえで、上記と同様に、本体カバー７０全体を下側に押し込むことにより、本体カバー７０の平面部７６ｂと固定具１４の平面部２ｂとを係合状態とすることができる。
【００４１】
〔別実施形態２〕
この別実施形態２も、別実施形態１と同様に、係合部２を外側に、持ち上げ操作部３を内側に位置させたものである。但し、本体カバー７０は内側に傾斜して延出される下垂壁を備え、その下垂壁の外側先端近傍が持ち上げ操作部３に当接する傾斜部７８ｃとされるとともに、固定具１４の内側上端部が円弧を成すラウンド部３ｃとされている。即ち、図９に示すように、固定具１４において、係合部２として平面部２ｃ、持ち上げ操作部３としてラウンド部３ｃ、保持部４として凹部４ｃ、再係合時の斜面５ｃを用い、本体カバー７０において、係合部２の平面部２ｃと係合する平面部７６ｃ、ラウンド部３ｃに当接する傾斜部７８ｃ、凹部４ｃに保持固定される凸部７７ｃ、再係合時の接触部８１ｃを用いる。
【００４２】
具体的には、図９に示すように、固定具１４は、断面視で固定具１４の上部が、本体カバー７０の外側部材と内側部材との間に配置される。係合部２として、本体カバー７０における受部７５の平面部７６ｃと係合するよう平面部２ｃが、固定具１４における上部の外側下面に設けられる。持ち上げ操作部３として、固定具１４が第一姿勢から第二姿勢となるに伴って本体カバー７０の傾斜部７８ｃと当接し本体カバー７０を持ち上げることができるようラウンド部３ｃが、固定具１４における内側上端部に設けられる。保持部４として、本体カバー７０を持ち上げた位置で位置保持できるよう、本体カバー７０の凸部７７ｃの形状に対応する凹部４ｃが、固定具１４における上部先端でラウンド部３ｃと斜面５ｃとの間に設けられる。
【００４３】
これにより、図９（ａ）の状態から、本体１０と本体カバー７０とを、係合が解除された係合解除状態にする際には、固定具１４の押圧部１４ａを内側に押込み操作して固定具１４を第一姿勢から第二姿勢へ向けて姿勢変更させ、本体カバー７０の平面部７６ｃと固定具１４の平面部２ｃとを係合解除状態にすることができる。第一姿勢から第二姿勢への変更により、固定具１４に設けられたラウンド部３ｃに本体カバー７０の傾斜部７８ｃが当接し、本体カバー７０の傾斜部７８ｃが、ラウンド部３ｃに沿って持ち上げられ（図９（ｂ）参照）、本体カバー７０は持ち上げ位置まで持ち上げられる。この持ち上げ位置において、固定具１４に設けられた凹部４ｃに、本体カバー７０に設けられた凸部７７ｃが保持され、固定される（図９（ｃ）参照）。
【００４４】
一方、本体１０と本体カバー７０とを、係合状態にする際には、本体カバー７０を固定具１４における上部の外側に設けられる再係合時の斜面５ｃ上に載せた状態で（図９（ａ）一点鎖線参照）、本体カバー７０全体を下側に押し込むことで、本体カバー７０の外側部材の下部内側先端に設けられた接触部８１ｃが、上記斜面５ｃに沿って降下するとともに、固定具１４を内側に押し、固定具１４の平面部２ｃと本体カバー７０の平面部７６ｃとが係合される（図９（ａ）実線参照）。なお、本体カバー７０が凹部４ｃに保持されている場合には、保持されている本体カバー７０を一旦持ち上げて、改めて本体カバー７０を上記斜面５ｃに載せたうえで、上記と同様に、本体カバー７０全体を下側に押し込むことにより、本体カバー７０の平面部７６ｃと固定具１４の平面部２ｃとを係合状態とすることができる。
【００４５】
〔別実施形態３〕
この別実施形態３も、別実施形態１、２と同様に、係合部２を外側に、持ち上げ操作部３を内側に位置させたものであるが、別実施形態１、２に比べて、持ち上げ操作部３を外側にも位置させている。但し、本体カバー７０には、案内溝８２が穿たれ、固定具１４側に持ち上げ操作部３として働くガイドピン３ｄが設けられている。このガイドピン３ｄは、案内溝８２により案内されて、固定具１４と本体カバー７０との間において、押込み操作により係合解除、本体カバー７０の持ち上げ、第二姿勢から第一姿勢への復帰に伴う本体カバー７０の持ち上げ位置での位置保持を実現する。さらに、本体カバー７０が押下げ操作されることにより再係合を実現する。
【００４６】
具体的には、図１０に示すように、固定具１４において、係合部２として平面部２ｄ、持ち上げ操作部３としてガイドピン３ｄおよび外側傾斜部３ｅを備えており、この外側傾斜部３ｅは、図７でいう、持ち上げ操作部３としての傾斜部３ａ、保持部４としての凸部４ａ、再係合時の斜面５ａの機能をあわせ持つ。本体カバー７０は、係合部２の平面部２ｄと係合する平面部７６ｄ、ガイドピン３ｄに当接する当接斜面部７８ｄ、持ち上げ操作部３としての外側傾斜部３ｅに接触する接触部７８ｅを備えている。この接触部７８ｅは、図７でいう、傾斜部３ａと当接する当接部７８ａ、凸部４ａに対応する形状の切り欠き部７７ａ、再係合時の斜面５ａに接触する接触部８１ａの機能をあわせ持つ。
図１０に示すように、固定具１４は、断面形状における固定具１４の上部において、図１０の紙面を貫通する方向に延びて固定具１４から両側に突出するガイドピン３ｄが設けられている。一方、本体カバー７０には、上記ガイドピン３ｄに対応する位置に、ガイドピン３ｄを案内する案内溝８２が設けられている。案内溝８２は、ガイドピン３ｄを図１０上で上下方向に案内する第一案内溝８２ａ、右下方向に案内する第二案内溝８２ｂ、左右方向に案内する第三案内溝８２ｃから構成される。
図１０に示すように、係合部２として、本体カバー７０の受部７５における平面部７６ｄと係合するよう平面部２ｄが、固定具１４における上部の外側下面に設けられる。持ち上げ操作部３として、固定具１４が第一姿勢から第二姿勢となるに伴って本体カバー７０の第二案内溝８２ｂにおける当接斜面部７８ｄと当接し、本体カバー７０を持ち上げることができるようガイドピン３ｄが、固定具１４における上部に設けられる。また、固定具１４の上部外側の斜面に、持ち上げ操作部３として機能する外側傾斜部３ｅが設けられる。同様の位置に、本体カバー７０を持ち上げた位置で位置保持できるよう本体カバー７０の接触部７８ｅの形状に対応する、保持部４として機能する外側傾斜部３ｅが設けられる。
これにより、図１０（ａ）の状態から、本体１０と本体カバー７０とを、係合が解除された係合解除状態にする際には、固定具１４の押圧部１４ａを内側に押込み操作して固定具１４を第一姿勢から第二姿勢へ向けて姿勢変更させ、本体カバー７０の平面部７６ｄと固定具１４の平面部２ｄとを係合解除状態にすることができる。第一姿勢から第二姿勢への変更により、固定具１４に設けられたガイドピン３ｄが、本体カバー７０の第二案内溝８２ｂに設けられた当接斜面部７８ｄに当接し、本体カバー７０がガイドピン３ｄに沿って持ち上げられ（図１０（ｂ）参照）、ガイドピン３ｄが相対的に第二案内溝８２ｂの右下方向へ移動した状態となる（図１０（ｃ）参照）。この状態では、本体カバー７０は持ち上げ位置まで持ち上げられている。この持ち上げ位置において、固定具１４の押込み操作を終了すると、第一姿勢への付勢力によりガイドピン３ｄが第三案内溝８２ｃに案内されて第一案内溝８２ａ下部に到達する（図１０（ｄ）参照）。そして、固定カバー１４の外側傾斜部３ｅにより、本体カバー７０の接触部７８ｅが下方から支持されつつ、さらに持ち上げ操作されて、保持固定される。当該サイクルにより、係合状態から係合解除状態への姿勢変更が行われる。なお、固定具１４の係合状態における第一姿勢は、第一案内溝８２ａ上部にガイドピン３ｄが存在する状態である（図１０（ａ）参照）。
一方、本体１０と本体カバー７０とを、係合状態にする際には、本体カバー７０を固定具１４の外側傾斜部３ｅ上に載せた状態で（図１０（ｄ）参照）、本体カバー７０全体を下側に押し込むことで、本体カバー７０が外側傾斜部３ｅに沿って降下するとともに、固定具１４が内側に移動して、第一姿勢へのスプリング１５による付勢により、固定具１４の平面部２ｄと本体カバー７０の平面部７６ｄとが係合する（図１０（ａ）参照）。なお、係合解除状態としたあとに、本体カバー７０が外側傾斜部３ｅに保持されている場合であっても、この外側傾斜部３ｅは再係合時の斜面（図７における再係合時の斜面５ａ）としての機能をも有するため、上記実施形態および別実施形態のように、本体カバー７０を一旦持ち上げて、改めて固定具１４の上に載せ直す必要がなく、そのまま外側傾斜部３ｅに保持されている状態の本体カバー７０全体を下側に押し込むことにより、本体カバー７０の平面部７６ｄと固定具１４の平面部２ｄとを容易に係合状態とすることができる。
【００４７】
なお、別実施形態１〜３において、上記実施形態と同様の構成のものは同一の符号を用いて表している。
【００４８】
上記実施形態および別実施形態においては、固定具１４を、内側方向（本体１０の上下方向とは直交する横方向）に移動させ姿勢変更させたが、これに限らず、固定具１４の下部に支点を設けて、固定具１４の押圧部１４ａを内側に押込み操作すると、当該支点を軸として固定具１４が揺動するように姿勢変更させることもできる。
【００４９】
上記実施形態および別実施形態においては、食材調製器としてのジューサー１を用いたが、調製器本体と載置体とを固定具により固定する構成であれば特に制限されず、例えば、ミキサー、フードプロセッサーに用いてもよい。
【００５０】
上記実施形態および別実施形態においては、食材調製器としてのジューサー１において載置体が本体カバー７０である例を示したが、食材調製器において調製器本体と載置体とを固定具により固定する構成であれば特に制限されず、例えば、食材調製器としてのミキサーにおいては、上記載置体はミキシング筒となる。また、食材調製器としてのフードプロセッサーにおいては、上記載置体はカバーとなる。
【００５１】
上記実施形態および別実施形態においては、カバー固定部１４の係合部２において平面部２ａ〜２ｄと本体カバー７０において平面部７６ａ〜７６ｄとをそれぞれ係合させるにあたり、平面部を用いたが、これに限らず、簡単に係合が可能で、かつ係合を簡単に解除することが可能な形状であれば、いかなる形状であってもよい。
【００５２】
上記実施形態および別実施形態においては、固定具１４を一対設けたが、これに限らず、多数箇所設けてもよい。また、本体１０の周部の相対位置に、一対の固定具１４を備える構成において、一方を本願にいう持ち上げ操作部を備えた固定具を使用し、他方に備えない固定具を使用してもよい。
【００５３】
上記実施形態および別実施形態においては、図１に示すように、本体１０として、断面が円である筒形状の筐体を用いたが、これに限らず、断面が楕円、多角である筒状の筐体を用いてもよい。
【００５４】
上記実施形態および別実施形態においては、本体１０に固定具１４を設けたが、これに限らず、本体カバー７０に固定具１４を設けてもよい。
【産業上の利用可能性】
【００５５】
本発明に係る食材調製器は、調製器本体および載置体の係合状態と係合解除状態との間における状態変更を行うことにより、調製器本体に対する載置体の着脱を容易に行なうことができ、さらに、製造に際して部品点数および組立工程を増加させることなく、効率よく製造することができる食材調製器として好適に利用可能である。
【図面の簡単な説明】
【００５６】
【図１】本発明の実施形態に係るジューサーの斜視図
【図２】本発明の実施形態に係るジューサーの食材調製手段を成す各部材の分解斜視図
【図３】本発明の実施形態に係るジューサーの断面図
【図４】本発明の実施形態に係るジューサー本体の斜視図
【図５】検出手段と安全スイッチ機構との関係を示す概略図
【図６】（ａ）は、安全スイッチ機構の背面図、（ｂ）、（ｃ）は、安全スイッチ機構の動作状態における側面図
【図７】本発明の実施形態に係るジューサーの固定具周辺の断面図
【図８】本発明の別実施形態１に係るジューサーの固定具周辺の断面図
【図９】本発明の別実施形態２に係るジューサーの固定具周辺の断面図
【図１０】本発明の別実施形態３に係るジューサーの固定具周辺の断面図
【符号の説明】
【００５７】
１：    ジューサー（食材調製器）
２：    係合部
３：    持ち上げ操作部
４：    保持部
１０：  ジューサー本体（調製器本体）
１１：  モータ（駆動手段）
１４：  固定具
１４ａ：押圧部
１５：  スプリング
４０：  ファイバーケース
４３：  仕切り板
５０：  調製部材
６０：  ファイバーケースカバー
７０：  本体カバー（載置体）
７５：  受部
８０：  食材調製手段
【図１】
2008029698.tif 000003
【図２】
2008029698.tif 000004
【図３】
2008029698.tif 000005
【図４】
2008029698.tif 000006
【図５】
2008029698.tif 000007
【図６】
2008029698.tif 000008
【図７】
2008029698.tif 000009
【図８】
2008029698.tif 000010
【図９】
2008029698.tif 000011
【図１０】
2008029698.tif 000012